(57)【要約】      （修正有）【課題】上に載せたゴルフボールを打ったときに、上の部分がクラブに負荷を生じないほど軽く外れる上下分離式のゴルフティーを提供する。【解決手段】地面に設置する基台部１の上部に突設された円柱形の凸部２にゴルフボールを載せる載置部４下部の筒部を着脱可能とし、前記基台部１と前記載置部４とを繋ぐ繋ぎ紐９を備えたゴルフティーであって、前記載置部４は、内径が前記基台部１の凸部２に嵌合する柔軟性内筒体５と、直立させた剛毛群を該内筒体５の外周に沿って円形状に配列すると共に各剛毛の上端部の高を揃えた刷毛体６と、該刷毛体６の下部を内筒体５に固定する外筒体７とから成り、前記刷毛体６の側面に力が加えられると柔軟性内筒体５が内側に倒れ込むように変形して前記基台部１の凸部２から分離可能とする上部空間を内筒体５内に形成したことを特徴とする。【選択図】図1
0003150667.tif 000002
【実用新案登録請求の範囲】
【請求項１】
地面に設置する基台部の上部に突設された円柱形の凸部にゴルフボールを載せる載置部下部の筒部を着脱可能とし、前記基台部と前記載置部とを繋ぐ繋ぎ紐を備えたゴルフティーであって、
前記載置部は、内径が前記基台部の凸部に嵌合する柔軟性内筒体と、直立させた剛毛群を該内筒体の外周に沿って円形状に配列すると共に各剛毛の上端部の高を揃えた刷毛体と、該刷毛体の下部を内筒体に固定する外筒体とから成り、
前記刷毛体の側面に力が加えられると柔軟性内筒体が内側に倒れ込むように変形して前記基台部の凸部から分離可能とする上部空間を内筒体内に形成したことを特徴とする上下分離式ゴルフティー。
【請求項２】
基台部に繋ぎ紐を遊貫可能とする紐通し孔を設け、該紐通し孔に前記繋ぎ紐を挿通するとともに前記繋ぎ紐にストッパを設けて前記基台部から繋ぎ紐が外れないようにしたことを特徴とする請求項１に記載の上下分離式ゴルフティー。
【請求項３】
繋ぎ紐に目印を固定したことを特徴とする請求項１又は２に記載の上下分離式ゴルフティー。
【請求項４】
基台部の上部を上下に分離するとともに、下側基台部の上端には雌ネジ部を縦方向に形成するとともに上側基台部の下部には雄ネジ部を縦方向に形成して上下の基台部を雌雄のネジ部を螺着し、該ネジ部の回転により高さを自由に調節可能としたことを特徴とする請求項１〜３のうちいずれか一項に記載の上下分離式ゴルフティー。
【請求項５】
基台部の下部を釘状又は円盤状としたことを特徴とする請求項１〜４のうちいずれか一項に記載の上下分離式ゴルフティー。
【考案の詳細な説明】
【技術分野】
【０００１】
本考案は上下分離式のゴルフティーに関するものである。
【背景技術】
【０００２】
ゴルフボールを打つ際に、ボールをゴルフティーに載せてティーショットすることが行われているが、ゴルフティーはボールと一緒にクラブで打撃されて遠くに飛んで紛失してしまうことが多い。
従来、下記特許文献１に記載されたゴルフティーには、図７に示すように、上下着脱可能とするとともに上（Ｔ１）と下（Ｔ２）の部分を紐Ｃで連結し、クラブで打たれたとき、上（Ｔ１）の部分が地面Ｇに固定された下側（Ｔ２）から外れて紐Ｃの長さまでの距離まで飛んで落下する分離式のゴルフティーが提案されている。
この特許文献１には、上下の部分を凹凸に嵌合させて着脱可能としているが、図７に示すように、クラブＫでボールＢを打って、上（Ｔ１）下（Ｔ２）が分離する際に、上（Ｔ１）の部分が硬いのでクラブＫに負荷が生じ、この負荷が正確な飛球が要求されるボールＢの弾道に影響を及ぼしてしまう。また、ボールに打撃されたときに上（Ｔ１）の部分が破損しやすいという難点がある。
【０００３】
また、下記特許文献２に記載のゴルフティーでは、上下の接続面に磁石を対向させて固定し、磁石の吸引力で上の台部分を直立させ、クラブでボールを打ったときに吸引力より打撃力が圧倒的に大きいので容易に分離される構造が示されている。このゴルフティーでも、上の部分の磁石の吸引力に抗するための力がクラブに負荷を与え、この負荷がボールの弾道に影響を及ぼし、また前記特許文献１と同様に上の部分がボールの打撃で破損しやすいという難点がある。
【先行技術文献】
【特許文献】
【０００４】
【特許文献１】特開２００７−１９５９４９号公報
【特許文献２】特開２００６−４３４００号公報
【考案の概要】
【考案が解決しようとする課題】
【０００５】
上記特許文献１及び２の上下分離式のゴルフティーは、大きいゴルフボールを棒状上端の極めて小面積の部分に載せようとしているため、その部分は皿状台を形成してはあるがボールの安定性を得るのが難しく、さらに上下分離式とすると、台の傾斜や振れはボールの落下の原因となるため、着脱面は強く固定できなければならなかった。
このように、下の部分に上の部分が安定的に強く固定され、且つクラブに負荷を与えないために簡単に分離できるようにすることは矛盾した技術的問題で、この矛盾を克服することが従来の上下分離式のゴルフティーではできなかった。
そこで、本考案は、クラブでゴルフティーに載せたゴルフボールを打ったときに、地面に固定された下側の部分から上側の部分がクラブに負荷を生じないほど極めて軽く外れ、且つ安定的にゴルフボールを載置することが可能で、打たれても破損しない上下分離式のゴルフティーを提供することを目的とする。
【課題を解決するための手段】
【０００６】
上記課題を解決するため、本考案の上下分離式ゴルフティー分離型のティーは、請求項１に記載の考案にあっては、地面に設置する基台部の上部に突設された円柱形の凸部にゴルフボールを載せる載置部下部の筒部を着脱可能とし、前記基台部と前記載置部とを繋ぐ繋ぎ紐を備えたゴルフティーであって、前記載置部は、内径が前記基台部の凸部に嵌合する柔軟性内筒体と、直立させた剛毛群を該内筒体の外周に沿って円形状に配列すると共に各剛毛の上端部の高を揃えた刷毛体と、該刷毛体の下部を内筒体に固定する外筒体とから成り、前記刷毛体の側面に力が加えられると柔軟性内筒体が内側に倒れ込むように変形して前記基台部の凸部から分離可能とする上部空間を内筒体内に形成したことを特徴とする。
【０００７】
請求項２に記載の考案にあっては、上記考案において、前記基台部に繋ぎ紐を遊貫可能とする紐通し孔を設け、該紐通し孔に前記繋ぎ紐を挿通するとともに前記繋ぎ紐にストッパを設けて前記基台部から繋ぎ紐が外れないようにしたことを特徴とする。
【０００８】
請求項３に記載の考案にあっては、上記各考案において、前記繋ぎ紐に目印を固定したことを特徴とする。
【０００９】
請求項４に記載の考案にあっては、上記各考案において、前記基台部の上部を上下に分離するとともに、下側基台部の上端には雌ネジ部を縦方向に形成するとともに上側基台部の下部には雄ネジ部を縦方向に形成して上下の基台部を雌雄のネジ部を螺着し、該ネジ部の回転により高さを自由に調節可能としたことを特徴とする。
【００１０】
請求項５に記載の考案にあっては、上記各考案において、前記基台部の下部を釘状又は円盤状としたことを特徴とする。
【考案の効果】
【００１１】
本考案の上下分離式のゴルフティーは、基台部に設けた低い凸部の上から載置部の体柔軟な素材の内筒体を嵌合させたとき上部空間が形成され、内筒体よりも高い部分の刷毛体の側面方向からの力が加えられると柔軟性内筒体が上部空間内に倒れ込むように変形して前記基台部の凸部から容易に分離可能となる。
このため本考案のゴルフティーの載置部上に載せたゴルフボールをクラブで打ったときに、地面に固定された下側の基台部から上側の部分がクラブに負荷を与えずに軽く外れる。したがって載置部は強い衝撃を受けないのでが、外れた載置部は遠くに飛ばされることがない。
また、上部のゴルフボールと一緒に打たれる部分は刷毛体部分であり、その刷毛体の側面からの打撃となるのでその力が抜けるように受け流されるので負荷が殆ど発生せず、衝撃を受けないので損傷しない。このため何度でも繰り返し使用することが可能となる。
さらに、刷毛体の円形配列とした剛毛群の上にゴルフボールが置かれると、ゴルフボールの荷重で剛毛群が外に広がり、その広い面積でゴルフボールを下から支えるため載置部上にゴルフボールを安定的に載置することが可能となる。
【００１２】
請求項２に記載の考案では、前記繋ぎ紐を基台部又は載置部に設けた各紐挿通孔に遊貫させてあるので、打撃を受けた載置部が外れたとき、前記繋ぎ紐のストッパまで載置部が自由に移動でき、載置部への打撃力は基台部へは直接に影響することがなく、また遠拘束されて載置部が遠くに飛ぶこともない。
【００１３】
通常のティーでは目立たないので失くしてしまうことが多いが、請求項３に記載の考案では、繋ぎ紐に設けた目印によって、気づかずに芝の上などの置いたり落としたりしても容易に見つけることが可能となる。
【００１４】
請求項４に記載の考案では、基台部のネジ部の回転で、載置部の高さが使用者に適した高さに自由に調節することが可能となる。
【００１５】
請求項５に記載の考案では、前記基台部は下部が釘状のほかに円盤状のものでも使用することが可能となる。
【図面の簡単な説明】
【００１６】
【図１】本考案の縦断側面図である。
【図２】一部を切欠した要部の斜視図である。
【図３】地面に立ててボールを載せた状態を示す縦断側面図である。
【図４】刺立て基台部と載置部とが分離した状態を示す縦断側面図である。
【図５】（イ）が高さ調節する前の状態、（ロ）が高さを中段に調節した状態、（ハ）フランジ部を切り離した状態を示す各縦断側面図である。
【図６】円盤状の置き基台部を示す縦断側面図である。
【図７】従来の分離式のゴルフティーを示す縦断側面図である。
【考案を実施するための形態】
【００１７】
本考案の上下分離式ゴルフティーを実施するための形態を以下説明する。
本考案は、図３に示すように、地面Ｇに設置する基台部１の上部に突設された円柱形の凸部２にゴルフボールＢを載せる載置部４を下部の筒部で着脱可能としたゴルフティーである。
本考案の前記基台部１は、図１に示すように、地面Ｇに突き刺す釘状をした刺立て型の基台部１と、図６に示すように、地面Ｇに刺さずに置くだけの円盤状の置き型の基台部１１とがある。
以下、前記基台部１は、図１に示すように、釘状で刺立て型の基台部１で実施の形態を説明する。
【００１８】
本考案の前記基台部１には前記凸部２が、高さを該凸部２の直径の半分以下の高さで凸状に上部のフランジ１ａ上の中央に形成される。
そして、この上に載る前記載置部４は、図１に示すように、内径が前記基台部１の凸部２の直径より僅かに小さい径の柔軟性内筒体５を用いて、前記基台部１の前記凸部２にこの内側が僅か広げられて嵌合できるようにする。また、該内筒体５の高さは前記基台部１の凸部２の高さに対して２倍程度の高さとする。
そして、前記内筒体５の外側に剛毛群を、図２に示すように、上端部６ａまでの長さをほぼ均一に揃えて前記内筒体５を取り囲むように円形状に配列させて直立させ、その剛毛群の下部６ｂを前記内筒体５の高さと同程度の高さの外筒体７で挟んで接着剤などを充填して確実に固着する。該外筒体７は前記内筒体５よりも硬質の樹脂などを用いて刷毛体６に密着させる。
即ち、前記基台部１には前記凸部２には前記載置部４の内筒体が嵌合させ、該内筒体内の凸部２上には上部空間が形成される。
この上部空間によって前記該刷毛体の側面に加えられた力で柔軟性内筒体が内側に倒れ込むように変形して前記基台部の凸部から容易に分離可能となる。
【００１９】
前記刷毛体６を構成する剛毛群はゴルフボールＢを載せたとき折れたり倒れたりすることのない強度を備えた若干硬質で弾力性があり所謂「腰」のある樹脂繊維を使用する。
また、使用する接着剤も硬化したとき弾力性があるものがその弾力で打撃を吸収するこができ、且つ前記基台部１の凸部２から抜け易くなるので好ましい。
【００２０】
次に前記基台部１と前記載置部４との分離について詳しく説明する。
図３に示すように、本考案の釘状の刺立てる型の上下分離式ゴルフティーは前記基台部１を地面Ｇに突き刺して立てて使用する。そして、前記基台部１と前記載置部４は前記基台部１の凸部２に前記載置部４の内筒体５を嵌めることで結合される。
【００２１】
このとき、前記載置部４の内筒体５は合成樹脂などの柔軟性のある内筒体５で、内径が前記基台部１に凸部２の径より小さいので内筒体５の内径が広げられて前記基台部１の高さの低い凸部２に被るようにして嵌合する。
しかし、前記基台部１の凸部２は内筒体５内の上部に上部空間を形成させるため内筒体５内に途中までの高さまでしか嵌合されないので強く締め付けて嵌合されることはない。そして、前記基台部１の中心軸に対して前記載置部４の中心軸が僅かでも傾くと、接している周囲にある一点部分が支点となり、その支点から離れた分離しつつある部分までが作用点となり、上部の力が加えられた刷毛体６の側面部分が力点の関係を持つ梃子関係となり、またこの際、クラブで前記内筒体上部の刷毛体６の側面が打撃されると、加圧された剛毛群の一部が上部空間内に柔軟性のある内筒体５を加圧変形させ陥没し、その剛毛群の下部６ｂが斜めに傾斜して凸部２の上に被さるようになって剛毛群の最下部は捲り上がるように凸部２から離れていく。この結果、小さい力で内筒体５の凸部２への接触部分が急速に減少して一気に連結保持力を失って外れる。
【００２２】
一方、前記載置部４の剛毛群の上端部６ａにゴルフボールＢを載せると、ゴルフボールＢの自重で剛毛群の上端部６ａが八方へ開かれ、ゴルフボールＢが前記載置部４の中央に寄せられて安定的に載置される。前記載置部４は側面からの力では外れ易いが中央に掛かる荷重に対しては外れる力が発生せず、前記基台部１に対して前記載置部４が安定して結合状態を維持することが可能となる。
即ち、前記基台部１の凸部２と柔軟性内筒体５との嵌合によって前記基台部１と前記載置部４と容易に分離可能となり、且つゴルフボールＢの刷毛体６上への安定載置は可能となり、ゴルフボールＢの安定載置とゴルフティーの上下の分離との両立が可能となる。
【００２３】
そして、約１５〜３０ｃｍの長さの合成樹脂製の繋ぎ紐９を使用し、前記基台部１と前記載置部４とが該繋ぎ紐９の両端から抜け落ちないように該繋ぎ紐９で拘束する。
この繋ぎ紐９の拘束は、図１に示すように、基台部１に設けた前記繋ぎ紐９を遊貫可能な紐通し孔３に該繋ぎ紐９を挿通して一方端部を前記載置部４に設けた外筒体７に突設した止め孔８付き突起に結束し、他方端部にはストッパ１０を設ける。こうして、前記基台部１は前記ストッパ１０のところから前記載置部４の結束部分まで自由に移動することが可能となる。
【００２４】
また、図４に示すように、前記ストッパ１０として繋ぎ紐９の端部に赤や黄色などの色彩を用いた目印１４を固定することも可能である。
こうすると、落としても気が付いて失くすのを防止でき、キャラクターなどのデザインした目印を用いれば、例えば携帯電話などのストラップとして使用したり、ベルトに巻き付けてアクセサリーとして利用することも可能となる。
【００２５】
また、図５に示すように、前記基台部１の上部を上下に分離可能に形成し、一方が他方に螺合する雌雄のネジ部１２、１３を軸心に縦に設ければ、前記載置部４の高さが自由に調節することが可能となる。
図５では、基台部１の上部のフランジ部１ａには紐通し孔３を設け、該フランジ部１ａと刺立て部1ｂとが分離され、下側の刺立て部1ｂの上端からに雌ネジ部１３を縦方向に形成し、上側の該フランジ部１ａの下部に前記雌ネジ部１３に螺合する雄ネジ部１２を縦方向に形成し、一方を回転させて高さを自由に調節可能とする。
この形態では、基台部１のネジ部１２、１３の回転で、載置部４の高さが使用者に適した高さに自由に調節することが可能となる。
なお、基台部１の材質は木、プラスチック、金属などを使用することが可能である。
【産業上の利用可能性】
【００２６】
本考案の上下分離式ゴルフティーは、繋ぎ紐を携帯電話などのストラップ紐としてベルトの巻き付けてアクセサリーとして利用することも可能である。
【符号の説明】
【００２７】
１    刺立て型の基台部
１ａ  フランジ部
１ｂ  刺立て部
２    嵌合凸部
３    紐通し孔
４    載置部
５    内筒部
６    刷毛体
６ａ  剛毛群の上端部
６ｂ  剛毛群の下部
７    外筒部
８    紐通し孔
９    繋ぎ紐
１０    ストッパ
１１    置き型の基台部
１２    雄ネジ
１３    雌ネジ
１４    目印
Ｂ    ゴルフボール
Ｋ    クラブ
Ｇ    地面
【図１】
0003150667.tif 000003
【図２】
0003150667.tif 000004
【図３】
0003150667.tif 000005
【図４】
0003150667.tif 000006
【図５】
0003150667.tif 000007
【図６】
0003150667.tif 000008
【図７】
0003150667.tif 000009